(57)【要約】【課題】乳幼児の体を安定して支持することができるベビーバスを提供する。【解決手段】ベビーバス１は、可撓性の袋体に気体を注入することによって形成されるベビーバスであって、底部２と、底部２の後端２ａに連結された背もたれ部４と、底部２及び背もたれ部４に連結された側壁部３と、背もたれ部４を支持する支持部と、を備える。背もたれ部４には、背もたれ部４の下端４ａから側壁部３よりも上方まで延在し、乳幼児の背部及び頭部が配置される凹部１１が設けられている。【選択図】図１
0003225711.tif 000002
【実用新案登録請求の範囲】
【請求項１】
可撓性の袋体に気体を注入することによって形成されるベビーバスであって、
底部と、
前記底部の後端に連結された背もたれ部と、
前記底部及び前記背もたれ部に連結された側壁部と、
前記背もたれ部を支持する支持部と、を備え、
前記背もたれ部には、前記背もたれ部の下端から前記側壁部よりも上方まで延在し、乳幼児の背部及び頭部が配置される凹部が設けられている、ベビーバス。
【請求項２】
前記凹部の底部は、平面状のシート体により構成されている、請求項１に記載のベビーバス。
【請求項３】
前記底部は、乳幼児の頭部に対応する幅を有している、請求項２に記載のベビーバス。
【請求項４】
一対の前記支持部は、前記背もたれ部の幅方向において互いに離間して設けられている、請求項１〜３のいずれか一項に記載のベビーバス。
【請求項５】
前記背もたれ部は、後方に傾斜しており、
前記底部に対する前記背もたれ部がなす角度は、１３０度以上１５０度以下である、請求項１〜４のいずれか一項に記載のベビーバス。
【請求項６】
前記底部から突出し、乳幼児の股部を支持する突出部を更に備える、請求項１〜５のいずれか一項に記載のベビーバス。
【請求項７】
前記突出部の高さは、前記側壁部の高さと同等である、請求項６に記載のベビーバス。
【考案の詳細な説明】
【技術分野】
【０００１】
本考案は、ベビーバスに関する。
【背景技術】
【０００２】
特許文献１には、可撓性材料により作られたチューブ内に空気を注入することによって形成されるベビーバスが記載されている。また、特許文献２には、空気室をそれぞれ有するチェア部材及びクッション部材により構成される乳児用バスチェアが記載されている。
【先行技術文献】
【特許文献】
【０００３】
【特許文献１】特開２００８−３６０３６号公報
【特許文献２】特開２００６−２９６６９６号公報
【考案の概要】
【考案が解決しようとする課題】
【０００４】
特許文献１に記載されるようなベビーバスでは、大人が常に乳幼児の体を支えておく必要がある。一方、特許文献２に記載されるような乳児用バスチェアによれば、乳幼児の体が安定して支持されるものの、浴槽がないので、乳幼児の体が冷えてしまうおそれがある。
【０００５】
本考案は、乳幼児の体を安定して支持することができるベビーバスを提供する。
【課題を解決するための手段】
【０００６】
本考案に係るベビーバスは、可撓性の袋体に気体を注入することによって形成されるベビーバスであって、底部と、底部の後端に連結された背もたれ部と、底部及び背もたれ部に連結された側壁部と、背もたれ部を支持する支持部と、を備え、背もたれ部には、背もたれ部の下端から側壁部よりも上方まで延在し、乳幼児の背部及び頭部が配置される凹部が設けられている。
【０００７】
このベビーバスにおいて、背もたれ部には、乳幼児の背部及び頭部が配置される凹部が設けられているので、乳幼児の体を安定して支持することができる。また、凹部は、側壁部よりも上方まで延在しているので、乳幼児の頭部を水面より高い位置で支持することができる。
【０００８】
凹部の底部は、平面状のシート体により構成されていてもよい。この場合、乳幼児の背部及び頭部が凹部に配置され易い。
【０００９】
底部は、乳幼児の頭部に対応する幅を有していてもよい。この場合、凹部の内面により、乳幼児の頭部を左右両側から支持することができる。
【００１０】
一対の支持部は、背もたれ部の幅方向において互いに離間して設けられていてもよい。この場合、背もたれ部を更に安定して支持することができる。
【００１１】
背もたれ部は、後方に傾斜しており、底部に対する背もたれ部がなす角度は、１３０度以上１５０度以下であってもよい。この場合、乳幼児の上半身が前方に倒れにくい。
【００１２】
上記ベビーバスは、底部から突出し、乳幼児の股部を支持する突出部を更に備えてもよい。この場合、乳幼児の股部の位置が安定する。
【００１３】
突出部の高さは、側壁部の高さと同等であってもよい。この場合、乳幼児の上半身が前方に倒れ込んだとしても、突出部により乳幼児の上半身を支持することができる。
【考案の効果】
【００１４】
本考案によれば、乳幼児の体を安定して支持することができるベビーバスを提供することができる。
【図面の簡単な説明】
【００１５】
【図１】実施形態に係るベビーバスを示す上方からの斜視図である。
【図２】図１のベビーバスの側面図である。
【図３】図１のベビーバスを示す下方からの斜視図である。
【図４】図２のＩＶ−ＩＶ線に沿った断面図である。
【考案を実施するための形態】
【００１６】
以下、図面を参照して、実施形態について詳細に説明する。なお、図面中の同一又は相当部分には同一符号を付すこととする。
【００１７】
図１は、実施形態に係るベビーバスの上方からの斜視図である。図２は、図１のベビーバスの側面図である。図３は、図１のベビーバスの下方からの斜視図である。図１〜図３に示される実施形態に係るベビーバス１は、乳幼児（生後０カ月から２歳）向けの育児用品である。ベビーバス１は、可撓性の袋体に気体（例えば、空気）を注入することによって立体的に形成されている。可撓性の袋体は、例えば、塩化ビニール樹脂等の樹脂シートにより形成されている。
【００１８】
ベビーバス１は、底部２、側壁部３、背もたれ部４、突出部５、及び一対の支持部６を備える。底部２、側壁部３、背もたれ部４、突出部５、及び一対の支持部６は、それぞれ上述の袋体に気体を注入することによって立体的に形成されている。ベビーバス１では、底部２と、側壁部３と、背もたれ部４とにより浴槽Ｂが構成されている。浴槽Ｂには湯や水を溜めることができるので、乳幼児に入浴や水浴びをさせることができる。浴槽Ｂに湯や水を溜めず、ベビーバス１をベビーチェアとして用いることもできる。
【００１９】
底部２は、全体として、略円形の平板状に形成されている。底部２は、直線状の後端２ａと、後端２ａの両端同士を接続するＵ字状又は円弧状の縁部２ｂと、を有している。以下の説明では、後端２ａの延びる方向を第１方向Ｄ１とし、水平面内において第１方向Ｄ１に直交する方向を第２方向Ｄ２とする。
【００２０】
底部２は、第１方向Ｄ１に延在し、第２方向Ｄ２に配列された複数のチューブ体７が互いに連結されて構成されている。複数のチューブ体７のうち、第２方向Ｄ２の中央部に配置された３本のチューブ体７ａは、チューブ体７ａの第１方向Ｄ１の中央部に設けられた連通部Ｃ１により、互いに連通可能に連結されている。また、残りのチューブ体７ｂは、底部２の第１方向Ｄ１の両端部に設けられた連通部Ｃ２により、互いに連通可能に連結されている。チューブ体７ａと、チューブ体７ｂとは、互いに連通不能に連結されている。底部２の第１方向Ｄ１の長さ（底部２の幅）は、例えば、１５ｃｍ以上５０ｃｍ以下であり、本実施形態では、３１ｃｍである。底部２の第２方向Ｄ２の長さは、例えば、１５ｃｍ以上７０ｃｍ以下であり、本実施形態では、２５ｃｍである。底部２の厚さは、チューブ体７の厚さと等しく、例えば、１ｃｍ以上１０ｃｍ以下であり、本実施形態では、３ｃｍである。後端２ａの長さは、１５ｃｍ以上５０ｃｍ以下であり、本実施形態では、３０ｃｍである。
【００２１】
側壁部３は、底部２と背もたれ部４とにより、浴槽Ｂを構成する。側壁部３は、底部２の縁部２ｂに立設されている。側壁部３の下端部３ａは、例えば、高周波溶着により縁部２ｂと連結されている。下端部３ａの長さは、縁部２ｂの長さと一致している。側壁部３は、縁部２ｂに沿ってＵ字状に湾曲されている。側壁部３は、例えば、高周波溶着により背もたれ部４と連結された一対の端部３ｂを有している。一対の端部３ｂは、鉛直方向に対し、後方に傾斜している。端部３ｂ及び下端部３ａがなす角度は、例えば、１３０度以上１５０度以下である。このため、側壁部３の上端部３ｃの長さは、下端部３ａの長さよりも長い。
【００２２】
側壁部３は、上下方向に延在し、縁部２ｂに沿って配列された複数のチューブ体８が互いに連結されて構成されている。側壁部３の高さＨ１は、例えば、１５ｃｍ以上３１ｃｍ以下であり、本実施形態では、２１ｃｍである。高さＨ１は、ベビーバス１が載置される平面を基準面としたときの高さである。
【００２３】
側壁部３の厚さは、底部２の厚さよりも厚い。側壁部３の厚さは、チューブ体８の厚さと等しく、３ｃｍ以上１８ｃｍ以下であり、本実施形態では、９ｃｍである。側壁部３は、チューブ体８の延在方向には屈曲し難く、チューブ体８の配列方向にはチューブ体８間において容易に屈曲する。このため、側壁部３では、縁部２ｂに沿ってＵ字状に湾曲した形状が安定して維持される。側壁部３には、気体の注入口Ａ１が設けられている。注入口Ａ１から気体を注入することにより、チューブ体８を膨らませることができる。注入口Ａ１は、例えば、側壁部３の外側面に設けられている。側壁部３は、ベビーバス１の他の部分と連通していないので、側壁部３の形状が安定し易い。よって、浴槽Ｂの形状が安定し易い。
【００２４】
背もたれ部４は、乳幼児の背中及び頭部（後頭部）を支持する。背もたれ部４の幅方向は、第１方向Ｄ１と一致している。背もたれ部４は、底部２の後端２ａに立設されている。背もたれ部４は、後端２ａと連結された直線状の下端４ａを有している。背もたれ部４は、側壁部３よりも高く、側壁部３の上端部３ｃから突出している。
【００２５】
背もたれ部４は、平面状のシート体９と、Ｕ字状に形成されたチューブ体１０と、を有している。ここで、平面状とは立体的ではなく平面的な形状を有するという意味である。シート体９は、略矩形状に形成されている。シート体９の上端部は、乳幼児の頭部（頭頂部）の形状に合わせて、半円の円弧状に形成されている。チューブ体１０は、シート体９の下端以外、すなわち、上端及び第１方向Ｄ１の両端を取り囲んでいる。チューブ体１０は、シート体９を挟んで第１方向Ｄ１で互いに対向する一対の対向部分１０ａと、一対の対向部分１０ａ同士を接続する半円の円弧状の上部分１０ｂと、を有している。背もたれ部４の下端４ａは、第１方向Ｄ１の中央部に配置されたシート体９の下端と、第１方向Ｄ１の両端部に配置されたチューブ体１０の一対の下端とからなる。
【００２６】
シート体９が平面的な形状を有するのに対し、チューブ体１０は立体的な形状を有する。このため、背もたれ部４の第１方向Ｄ１の中央部には、シート体９を底部とする凹部１１が形成されている。凹部１１は、背もたれ部４の下端４ａから側壁部３よりも上方まで延在している。シート体９の上端の高さＨ２は、側壁部３の高さＨ２よりも高く、例えば、１５ｃｍ以上４０ｃｍ以下であり、本実施形態では、２７ｃｍである。高さＨ２は、ベビーバス１が載置される平面を基準面としたときの高さである。
【００２７】
シート体９の全長（シート体９の下端から上端までの長さ）は、例えば、１７ｃｍ以上４５ｃｍ以下であり、本実施形態では、３０ｃｍである。背もたれ部４の全長は、例えば、１７ｃｍ以上６０ｃｍ以下であり、本実施形態では、背もたれ部４の全長は、４２ｃｍである。
【００２８】
凹部１１には、乳幼児の背中及び頭部が配置される。凹部１１の底部（すなわちシート体９）は、乳幼児の頭部の横幅に対応する幅を有している。つまり、シート体９の幅（シート体９の第１方向Ｄ１の長さ）は、乳幼児の頭部の横幅と同等に設定されている。シート体９の幅は、例えば、１０ｃｍ以上１５ｃｍ以下であり、本実施形態では、１３ｃｍである。
【００２９】
本実施形態では、背もたれ部４を構成する袋体は、チューブ体１０に対応する部分にのみに気体が注入可能に形成されている。この袋体において、シート体９に対応する部分には気体が注入されないので、シート体９は平面的な形状を有する。シート体９に対応する部分も袋体であり、シート体９は２枚の可撓性シートが重なって形成されている。
【００３０】
背もたれ部４は、鉛直方向に対し、後方に傾斜している。底部２及びシート体９がなす角度は、側壁部３の端部３ｂ及び下端部３ａがなす角度と一致しており、例えば、１３０度以上１５０度以下である。すなわち、シート体９の傾斜角（鉛直方向、又は、底部２に垂直な方向からの傾斜角）は、４０度以上６０度以下である。
【００３１】
本実施形態では、背もたれ部４及び底部２は、一つの袋体により形成されている。底部２の後端２ａ及び背もたれ部４の下端４ａは、実質的に同じであるため、高周波溶着等によりこれらを連結させる必要がなく、製造が容易となる。底部２のチューブ体７ｂは、連通部Ｃ２により背もたれ部４のチューブ体１０とも連通可能に連結されている。チューブ体１０には、気体の注入口Ａ２が設けられている。注入口Ａ２から気体を注入することにより、チューブ体１０及びチューブ体７ｂを膨らませることができる。注入口Ａ２は、例えば、チューブ体１０の後面において、支持部６よりも上方に設けられている。
【００３２】
突出部５は、底部２における第１方向Ｄ１及び第２方向Ｄ２の略中央部から上方に突出している。突出部５は、第２方向Ｄ２において側壁部３とシート体９との間に配置されている。側壁部３は膨らんで厚みがあるのに対し、シート体９は平面状で厚みがない。このため、突出部５は底部２の第２方向Ｄ２の略中央部に配置されているものの、突出部５及び側壁部３間の第２方向Ｄ２の距離は、突出部５及びシート体９間の第２方向Ｄ２の距離よりも実質的には短い。突出部５及び側壁部３間の第２方向Ｄ２の距離は、例えば、７ｃｍであり、突出部５及びシート体９間の第２方向Ｄ２の距離は、例えば、９ｃｍである。
【００３３】
突出部５の高さは、側壁部３の高さと同等である。ここで、同等には、製造誤差の範囲が含まれる。突出部５は、乳幼児の股の間に配置され、乳幼児の股部又は臀部を支持する。突出部５は、浴槽Ｂ内において、乳幼児の股部又は臀部の位置を固定するストッパーの機能を有し、乳幼児の下半身が滑って前方に移動することを抑制する。突出部５は、例えば、円柱状に形成されているので、乳幼児の股の間に配置され易い。突出部５の直径は、例えば、４ｃｍ以上１３ｃｍ以下であり、本実施形態では、７.５ｃｍである。
【００３４】
図４は、図２のＩＶ−ＩＶ線に沿った断面図である。図４に示されるように、突出部５の下端部５ａは、例えば、高周波溶着により底部２と連結されている。底部２は、例えば、上シート２１及び下シート２２を含んでいる。上シート２１は、突出部５の下端部５ａと連結された円環状の連結部２１ａと、連結部２１ａの内側において下シート２２と連結された円環状の連結部２１ｂと、を有している。連結部２１ｂは、例えば、高周波溶着により下シート２２と連結されている。連結部２１ｂの内側における上シート２１と下シート２２とが重なった部分には、気体の注入口Ａ３が設けられている。注入口Ａ３から気体を注入することにより、突出部５を膨らませることができる。
【００３５】
上シート２１の連結部２１ａと連結部２１ｂとの間には、第１方向Ｄ１で対向する一対の連通孔２１ｃが設けられている。一対の連通孔２１ｃにより、突出部５と底部２のチューブ体７ａとが互いに連通される。このため、注入口Ａ３から気体を注入することにより、突出部５だけでなく、底部２のチューブ体７ａも膨らませることができる。
【００３６】
一対の支持部６は、背もたれ部４の後面における下部分に設けられ、背もたれ部４を支持している。一対の支持部６は、第１方向Ｄ１において互いに離間して設けられている。一対の支持部６は、例えば、高周波溶着によりチューブ体１０の一対の下端部に連結されている。支持部６は、チューブ体１０から後方に突出している。支持部６は、例えば、円錐状に形成されている。支持部６は、例えば、第１方向Ｄ１から見て、三角形状となるように形成されている。支持部６の後端は、第２方向Ｄ２において、背もたれ部４の後端と同じかそれよりも前方に位置している。これにより、ベビーバス１の第２方向Ｄ２の長さが支持部６によって長くなることが抑制される。
【００３７】
支持部６には、気体の注入口Ａ４が設けられている。注入口Ａ４から気体を注入することにより、支持部６を膨らませることができる。支持部６は、ベビーバス１の他の部分と連通していないので、支持部６の形状が安定し易い。よって、背もたれ部４を安定して支持することができる。その結果、浴槽Ｂの形状が安定し易い。支持部６の上端の高さＨ３は、側壁部３の高さＨ２よりも低い。支持部６の上端の高さＨ３は、シート体９の上端の高さＨ１の１／２以上である。これにより、背もたれ部４が安定して支持される。高さＨ３は、ベビーバス１が載置される平面を基準面としたときの高さである。
【００３８】
以上説明したように、ベビーバス１において、背もたれ部４には、乳幼児の背部及び頭部が配置される凹部１１が設けられているので、乳幼児の体を安定して支持することができる。また、凹部１１は、側壁部３よりも上方まで延在しているので、乳幼児の頭部を浴槽Ｂ内の水面より高い位置で支持することができる。
【００３９】
凹部１１の底部は、平面状のシート体９により構成されている。このため、乳幼児の背部及び頭部が凹部１１に配置され易い。
【００４０】
凹部１１の底部は、乳幼児の頭部に対応する幅を有している。このため、凹部１１の底部をなすシート体９を挟んで対向するチューブ体１０の一対の対向部分１０ａにより、乳幼児の頭部を左右両側から支持することができる。
【００４１】
一対の支持部６は、第１方向Ｄ１において互いに離間して設けられている。このため、背もたれ部４が二点で支持される。よって、背もたれ部４が一点で支持される場合に比べて、背もたれ部４の支持が更に安定する。
【００４２】
背もたれ部４は、後方に傾斜しており、底部２に対する背もたれ部４がなす角度は、１３０度以上１５０度以下である。このため、乳幼児の上半身が後方に傾斜した状態となる。よって、乳児用の上半身が前方に倒れにくい。
【００４３】
突出部５は、底部２から突出し、浴槽Ｂ内において乳幼児の股部を支持する。このため、乳幼児の股部の位置が安定する。突出部５の高さは、側壁部３の高さと同等である。このため、乳幼児の上半身が前方に倒れ込んだとしても、突出部５により乳幼児の上半身（特に、顔）を支持することができる。
【００４４】
本考案は上述した実施形態に限らず、様々な変形が可能である。
【００４５】
ベビーバス１は、突出部５を備えなくてもよい。また、突出部５は、側壁部３及び背もたれ部４とは連通していないので、突出部５を構成する袋体に気体を注入しないことにより、突出部５を立体的に形成せず、ベビーバス１を用いてもよい。ベビーバス１は、１つの支持部６で背もたれ部４を支持する構成であってもよい。この場合、支持部６は、第１方向Ｄ１に延在し、背もたれ部４の第１方向Ｄ１の全体を支持してもよい。底部２のチューブ体７ａは、突出部５と連通していなくてもよい。
【符号の説明】
【００４６】
１…ベビーバス、２…底部、３…側壁部、４…背もたれ部、４ａ…下端、５…突出部、６…支持部、９…シート体（底部）、１１…凹部。
【図１】
0003225711.tif 000003
【図２】
0003225711.tif 000004
【図３】
0003225711.tif 000005
【図４】
0003225711.tif 000006